(57)【特許請求の範囲】
【請求項１】
射出成形品の日除け４つからなる日除け設置構造であって、各日除けは、平面から見て四角形となる二面体(11)を最小単位とし、基準位置にある第１の二面体(11)と、第１の二面体(11)と隣接し、互いに１つの頂点を共有し、一辺同士が同一直線上にある第２の二面体(12)と、第１の二面体(11)と隣接し、第１の二面体(11)の他の頂点を共有するとともに、第１の二面体(11)の他の一辺と同一直線上にある第３の二面体(13)と、一辺を第２，第３の二面体(12)(13)と隣接し、互いに１つの頂点を共有し、一辺同士が同一直線上にあるとともに、第１の二面体(11)と隣接し、互いに１つの頂点を共有し、対角線同士が同一直線上にある第４の二面体(14)とからなる４つの二面体(11)(12)(13)(14)を基本要素とし、基準位置にある第１の基本要素(2)と、第１の基本要素(2)と隣接し、互いに１つの頂点を共有し、一辺同士が同一直線上にある第２の基本要素(3)と、第１の基本要素(2)と隣接し、第１の基本要素(2)の他の頂点を共有するとともに、第１の基本要素(2)の他の一辺と同一直線上にある第３の基本要素(4)と、一辺を第２，第３の基本要素(3)(4)と隣接し、互いに１つの頂点を共有し、一辺同士が同一直線上にあるとともに、第１の基本要素(2)と隣接し、互いに１つの頂点を共有し、対角線同士が同一直線上にある第４の基本要素(5)とからなり、各基本要素(2)(3)(4)(5)間には隙間が存在するが、所定角度傾斜した最大遮光方向から見た場合に、これらの隙間がゼロとなるように、同一直線上にある第１の基本要素(2)と第２の基本要素(3)との一辺同士および同一直線上にある第１の基本要素(2)と第３の基本要素(4)との一辺同士を底面にして、各基本要素(2)(3)(4)(5)が配置されるとともに、平面から見て四角形の角部を形成している４つの角部に、それぞれ日除け同士の結合のために使用される貫通孔(31)(32)(33)(34)が設けられており、第１の基本要素(2)および第４の基本要素(5)の第１の二面体(11)の各小三角形板部(11a)(11b)およびこの向こう側にある第４の二面体(14)の各小三角形板部(14a)(14b)と、第１の基本要素(2)およびこの向こう側にある第４の基本要素(5)の第２および第３の二面体(12)(13)の底面側に折り曲げられた形状となっている各小三角形板部(12b)(13a)とによって、稜線方向にのびる中空形状の第１筒状部(7)が形成され、貫通孔(31)(32)(33)(34)のうちの稜線方向の上下端部に位置する２つが前記第１筒状部(7)に設けられているフラクタル構造のものであり、
第２および第３の日除け(1B)(1C)の第１の基本要素(2)と第１の日除け(1A)の第２および第３の基本要素(3)(4)とを連結するための２つの上向き突起(35a)(35b)を有する第１のジョイント(35)と、第４の日除け(1D)の第１の基本要素(2)と第１の日除け(1A)の第４の基本要素(5)とを連結するための１つの上向き突起(36a)および１つの下向き突起(36b)を有する第２のジョイント(36)と、第４の日除け(1D)の第２および第３の基本要素(3)(4)と第２および第３の日除け(1B)(1C)の第４の基本要素(5)とを連結するための１つの上向き突起(37a)および１つの下向き突起(37b)を有する第３のジョイント(37)とが使用されていることを特徴とする日除け設置構造。
【発明の詳細な説明】
【技術分野】
【０００１】
本発明は、効率よく温度上昇を抑制することが可能な日除けの設置構造に関し、特に、フラクタル構造の日除けの設置構造に関する。
【背景技術】
【０００２】
特許文献１には、フラクタル構造とされた日除けとして、平面から見て四角形となる二面体形状の４つの基本要素が左右、前後および上下に隣り合うように配置されることで構成され、各基本要素間には隙間が存在するが、所定角度傾斜した最大遮光方向から見た場合に、これらの隙間がゼロとなるように各基本要素が配置されたものが開示されている。
【先行技術文献】
【特許文献】
【０００３】
【特許文献１】特開２００８−１９６２５４号公報
【発明の概要】
【発明が解決しようとする課題】
【０００４】
上記特許文献１に示されている日除けは、板材から形成したフラクタル構造体となっていることから、要素数が増加するに連れて、接合されていない突き合わせ部の数も増加して、強度が低下していくという問題があった。
【０００５】
本発明の目的は、強度があって製作が容易な日除け設置構造を提供することにある。
【課題を解決するための手段】
【０００６】
この発明による日除け設置構造は、射出成形品の日除け４つからなる日除け設置構造であって、各日除けは、平面から見て四角形となる二面体を最小単位とし、基準位置にある第１の二面体と、第１の二面体と隣接し、互いに１つの頂点を共有し、一辺同士が同一直線上にある第２の二面体と、第１の二面体と隣接し、第１の二面体の他の頂点を共有するとともに、第１の二面体の他の一辺と同一直線上にある第３の二面体と、一辺を第２，第３の二面体と隣接し、互いに１つの頂点を共有し、一辺同士が同一直線上にあるとともに、第１の二面体と隣接し、互いに１つの頂点を共有し、対角線同士が同一直線上にある第４の二面体とからなる４つの二面体を基本要素とし、基準位置にある第１の基本要素と、第１の基本要素と隣接し、互いに１つの頂点を共有し、一辺同士が同一直線上にある第２の基本要素と、第１の基本要素と隣接し、第１の基本要素の他の頂点を共有するとともに、第１の基本要素の他の一辺と同一直線上にある第３の基本要素と、一辺を第２，第３の基本要素と隣接し、互いに１つの頂点を共有し、一辺同士が同一直線上にあるとともに、第１の基本要素と隣接し、互いに１つの頂点を共有し、対角線同士が同一直線上にある第４の基本要素とからなり、各基本要素間には隙間が存在するが、所定角度傾斜した最大遮光方向から見た場合に、これらの隙間がゼロとなるように、同一直線上にある第１の基本要素と第２の基本要素との一辺同士および同一直線上にある第１の基本要素と第３の基本要素との一辺同士を底面にして、各基本要素が配置されるとともに、平面から見て四角形の角部を形成している４つの角部に、それぞれ日除け同士の結合のために使用される貫通孔が設けられており、第１の基本要素および第４の基本要素の第１の二面体の各小三角形板部およびこの向こう側にある第４の二面体の各小三角形板部と、第１の基本要素およびこの向こう側にある第４の基本要素の第２および第３の二面体の底面側に折り曲げられた形状となっている各小三角形板部とによって、稜線方向にのびる中空形状の第１筒状部が形成され、貫通孔のうちの稜線方向の上下端部に位置する２つが前記第１筒状部に設けられているフラクタル構造のものであり、第２および第３の日除けの第１の基本要素と第１の日除けの第２および第３の基本要素とを連結するための２つの上向き突起を有する第１
のジョイントと、第４の日除けの第１の基本要素と第１の日除けの第４の基本要素とを連結するための１つの上向き突起および１つの下向き突起を有する第２のジョイントと、第４の日除けの第２および第３の基本要素と第２および第３の日除けの第４の基本要素とを連結するための１つの上向き突起および１つの下向き突起を有する第３のジョイントとが使用されていることを特徴とするものである。
【０００７】
平面から見て四角形となる二面体形状の４つの基本要素が左右、前後および上下に隣り合うように配置されたもので、基準位置にある第１の基本要素と、第１の基本要素の左右いずれかに配置された第２の基本要素と、第１の基本要素の前後いずれかに配置された第３の基本要素と、第１から第３までの基本要素の上方に配置された第４の基本要素とからなり、各基本要素間には隙間が存在するが、所定角度傾斜した最大遮光方向から見た場合に、これらの隙間がゼロ（実質的にゼロ）となるように各基本要素が配置されたフラクタル構造の日除けは、公知である。
【０００８】
日除けは、例えば、ビルの屋上等に設置されて太陽光を遮るもので、その設置面は、通常、水平（これに限られるものではないが）とされる。この設置に際し、第１から第３までの基本要素の各下辺が水平面上に載置され、各基本要素の稜線は、垂直面に対して所定角度傾斜させられる。
【０００９】
射出成形に際しては、射出成形品から金型を抜くことが必要であり、筒状部であれば、金型（スライドコア）を筒状部の軸方向に沿って移動させることで、筒状部から金型を抜き出すことが容易となる。
【００１０】
射出成形によって日除け（日除け設置構造を構成する最小部品）が得られ、この射出成形品としての日除け４つを貫通孔を利用して結合することで、１つの日除け設置構造が得られ、同様の結合を繰り返すことで、所要の大きさの日除け設置構造の組立体を得ることができる。
【００１１】
第１筒状部に設けられている貫通孔は、平面から見て四角形の角部を形成している４つの角部のうち、第１の基本要素の稜線方向の下端部および第４の基本要素の稜線方向の上端部に位置することになる。ここで、平面から見て四角形の角部を形成している４つの角部のうちの残る２つの角部にも、日除け同士の結合のために使用される貫通孔が設けられていることがより好ましい。
【００１２】
第２および第３の基本要素において、第１の二面体の各小三角形板部およびこの向こう側にある第４の二面体の各小三角形板部と、第２および第３の二面体の底面側に折り曲げられた各小三角形板部とによって、横断面が菱形で長さが第１筒状部の半分である稜線方向にのびる中空形状の２つの第２筒状部が形成されていることが好ましい。
【００１３】
第２の基本要素の底面側に折り曲げられた中三角形板部と第３の基本要素の底面側に折り曲げられた中三角形板部との突き合わせ部が射出成形時に接合されていることにより、第１の基本要素およびこの向こう側にある第４の基本要素の第２および第３の二面体の各小三角形板部と、第２および第３の基本要素の底面側に折り曲げられた中三角形板部とによって、横断面がＶ字状で稜線方向にのびる中空形状の第３筒状部が形成されていることがより好ましい。
【００１４】
なお、この明細書において、「二面体形状」とは、２つの三角形板部からなる二面体本体部分を有していることを意味し、二面体本体部分に対して突出している部分を含んでいるものもこれに含まれるものとする。
【００１５】
稜線を中央に据えたときの正面図における日除けの形状は、第１、第２および第３の基本要素の下面を底辺（斜辺）として第４の基本要素の角部によって形成される頂角が９０°の直角二等辺三角形とされることが好ましい。この場合には、各基本要素を構成している部分（中三角形板部、中三角形孔および各二面体）も、直角二等辺三角形となる。このようにすると、日除けを組み立てていく際に、これらの直角二等辺三角形を基準とすることで、隣り合う日除け同士の位置合わせを容易に行うことができる。
【００１６】
日除けは、合成樹脂製の射出成形品として製作することができる。合成樹脂製の射出成形品の場合、第２の基本要素と第３の基本要素との突き合わせ部が射出成形時に接合される。
【００１７】
第２の基本要素と第３の基本要素との突き合わせ部が接合されていることで、強度向上が達成され、日除けを多数組み立てることが容易となる。しかも、この第２の基本要素と第３の基本要素との突き合わせ部は、上記基準角度を設定するための点Ｄとなっており、点Ｄが仮想点ではなく、第２の基本要素と第３の基本要素との突き合わせ部として、日除けにおける実在点となっており、これにより、日除けの角度Ｆを容易に測定することができる。
【発明の効果】
【００１８】
本発明によると、射出成形品で、第２の二面体の底面側に折り曲げられた小三角形板部と第３の二面体の底面側に折り曲げられた小三角形板部との突き合わせ部が射出成形時に接合されていることにより、横断面が菱形で稜線方向にのびる中空形状の第１筒状部が形成されているので、板材から形成したものに比べて、強度を上げることができる。また、横断面が菱形で稜線方向にのびる筒状部が形成されていることで、射出成形により日除けを得るのに適した形状となっている。しかも、日除け同士の結合のために使用される貫通孔が設けられていることにより、効率よく日除けを組み立てることができる。
【図面の簡単な説明】
【００１９】
【図１】図１は、本発明による日除けの１実施形態を示す斜視図である。
【図２】図２は、同平面図である。
【図３】図３は、本発明による日除けの稜線を中央にした正面図である。
【図４】図４は、同底面図である。
【図５】図５は、本発明による日除けを最大遮光方向から見た図である。
【図６】図６は、本発明による日除けを稜線方向から見た図である。
【図７】図７は、本発明による日除けの基本要素の拡大斜視図である。
【図８】図８は、本発明による日除けを複数使用して組み立てられる日除け組立品の一部を示す斜視図である。
【図９】図９は、本発明による日除けの基準角度の設定範囲を説明するための図で、上側は平面図、下側は側面図である。
【発明を実施するための形態】
【００２０】
以下、図面を参照して、この発明の実施形態について説明する。以下の説明において、図１の左右を左右、上下を上下というものとし、これらに直交する方向を前後（図１の紙面表側が前）というものとする。
【００２１】
日除け(1)は、射出成形で得られるその単品の形状が図１から図６までに示す形状とされており、これを多数使用して、左右、前後および上下に並べることで、図８に示されている日除け組立品（図示はその一部）を得ることができる。このような日除け組立品は、多数の日除け(1)からなるフラクタル構造となっており、日除け(1)は、４つの基本要素(2)(3)(4)(5)からなるフラクタル構造とされ、各基本要素(2)(3)(4)(5)自体も、同じ形の三角形が対称状に一体化された二面体(11)(12)(13)(14)を単位とするフラクタル構造となっている。
【００２２】
各基本要素(2)(3)(4)(5)は、平面から見て四角形となる４つの二面体(11)(12)(13)(14)が左右、前後および上下に隣り合うように配置されたもので、基準位置にある第１の二面体(11)と、第１の二面体(11)の右方に配置された第２の二面体(12)と、第１の二面体(11)の後方に配置された第３の二面体(13)と、第１から第３までの二面体(11)(12)(13)の上方に配置された第４の二面体(14)とからなる。
【００２３】
日除け(1)は、４つの基本要素(2)(3)(4)(5)が左右、前後および上下に隣り合うように配置されたもので、基準位置にある第１の基本要素(2)と、第１の基本要素(2)の右方に配置された第２の基本要素(3)と、第１の基本要素(2)の後方に配置された第３の基本要素(4)と、第１から第３までの基本要素(2)(3)(4)の上方に配置された第４の基本要素(5)とからなる。
【００２４】
各基本要素(2)(3)(4)(5)は、平面から見て四角形であり、また、日除け(1)も、平面から見て四角形となっている。第１および第４の基本要素(2)(5)に含まれる第１および第４の二面体(11)(14)の各稜線は、連続しており、これが全体として二面体形状をなす日除け(1)の稜線(R)となっている。稜線(R)は、水平面に対して所要角度（３０〜４０°程度）傾斜させられている。
【００２５】
図７に拡大して示すように、基本要素(2)（他の基本要素(3)(4)(5)でも同じ）を構成する４つの二面体(11)(12)(13)(14)は同一形状とされており、各二面体(11)(12)(13)(14)は、前面を形成する小三角形板部(11a)(12a)(13a)(14a)と側面を形成する小三角形板部(11b)(12b)(13b)(14b)とからなる。第１の二面体(11)は、水平面上に位置して正方形の二辺を形成する左右方向および前後方向の下辺(21)(22)と、下辺(21)(22)同士の交差部から斜め上方にのびて稜線(R)を形成する共通辺(23)と、共通辺(23)の上端部と各下辺(21)(22)の端部とをつなぐ手前側および奥側の上辺(24)(25)とからなる。第２の二面体(12)は、第１の二面体(11)の左右方向の下辺(21)が左右方向に延長された左右方向の下辺(21)と、第１の二面体(11)の前後方向の下辺(22)に平行な前後方向の下辺(22)と、第１の二面体(11)の共通辺(23)に平行な共通辺(23)と、第１の二面体(11)の手前側および奥側の上辺(24)(25)にそれぞれ平行な手前側および奥側の上辺(24)(25)とからなる。第３の二面体(13)は、第１の二面体(11)の前後方向の下辺(22)が前後方向に延長された前後方向の下辺(22)と、第１の二面体(11)の左右方向の下辺(21)に平行な左右方向の下辺(21)と、第１の二面体(11)の共通辺(23)に平行な共通辺(23)と、第１の二面体(11)の手前側および奥側の上辺(24)(25)にそれぞれ平行な手前側および奥側の上辺(24)(25)とからなる。第４の二面体(14)は、第１の二面体(11)の共通辺(23)が斜め上方に延長された共通辺(23)と、第２の二面体(12)の手前側の上辺(24)が斜め上方に延長された手前側の上辺(24)と、第３の二面体(13)の奥側の上辺(25)が斜め上方に延長された奥側の上辺(25)と、第１の二面体(11)の左右方向の下辺(21)に平行な左右方向の下辺(21)と、第１の二面体(11)の前後方向の下辺(22)に平行な前後方向の下辺(22)とからなる。
【００２６】
図７において、第１、第２および第４の各二面体(11)(12)(14)の前面を形成する小三角形板部(11a)(12a)(14a)は、同一平面（前面）上にあり、この前面に対して、第２の二面体(12)の側面を形成する小三角形板部(12b)が底面側に屈曲させられていることで、基本要素(2)の前面には、三角形状の小三角形孔(15)が形成されている。また、第１、第３および第４の各二面体(11)(13)(14)の側面を形成する小三角形板部(11b)(13b)(14b)は、同一平面（側面）上にあり、この側面に対して、第３の二面体(13)の前面を形成する小三角形板部(13a)が底面側に屈曲させられていることで、基本要素(2)の側面には、三角形状の小三角形孔(15)が形成されている。こうして、基本要素(2)は、中央部に小三角形孔(15)を有する２つの中三角形板部(2a)(2b)が稜線(R)を介して接合された二面体本体部分と、中三角形板部(2a)(2b)に対して底面側に折り曲げられた小三角形板部（突出部分）(12b)(13a)とからなる二面体形状となっている。
【００２７】
各小三角形孔(15)の大きさは、これを囲む３つの三角形板部(11a)(12a)(14a)(11b)(13b)(14b)の大きさよりも一回り小さくなされており、これにより、隣り合う三角形板部(11a)(12a)(14a)(11b)(13b)(14b)の間に所定の肉厚が確保され、三角形板部(11a)(12a)(14a)(11b)(13b)(14b)同士は、その突き合わせ部において互いに接合されている。左右、前後および上下に隣り合う基本要素(2)(3)(4)(5)同士についても、各突き合わせ部に所定の肉厚を確保することで互いに接合されている。
【００２８】
４つの基本要素(2)(3)(4)(5)からなる日除け(1)において、第１、第２および第４の各基本要素(2)(3)(5)の前面を形成する中三角形板部(2a)(3a)(5a)は、同一平面（前面）上にあり、この前面に対して、第２の基本要素(3)の側面を形成する中三角形板部(3b)が底面側に屈曲させられていることで、前面の大三角形部(1a)には、三角形状の中三角形孔(6)が形成されている。また、第１、第３および第４の各基本要素(2)(4)(5)の側面を形成する中三角形板部(2b)(4b)(5b)は、同一平面（側面）上にあり、この側面に対して、第３の基本要素(4)の前面を形成する中三角形板部(4a)が底面側に屈曲させられていることで、側面の大三角形部(1b)には、三角形状の中三角形孔(6)が形成されている。この結果、日除け(1)は、中央部に中三角形孔(6)を有する２つの大三角形板部(1a)(1b)が稜線(R)を介して接合された二面体本体部分と、大三角形板部(1a)(1b)に対して底面側に折り曲げられた中三角形板部（突出部分）(3b)(4a)とからなる二面体形状となっている。
【００２９】
したがって、日除け(1)を基本要素とみなして、これを４つ使用して上記の基本要素(2)(3)(4)(5)と同じように左右、前後および上下に配置することで、図８に示す日除け部材成形品(1)の組立品が得られ、使用する日除け(1)の数を適宜増やしていくことで必要な大きさの日除けを得ることができる。
【００３０】
図２に示す平面図において、基準位置にある第１の基本要素(2)の角部のうち日除け(1)の角部になっている部分（図２の下側にある角部）の角度は、９０°とされており、稜線(R)は、これを二等分するようになっている。第２の基本要素(3)および第３の基本要素(4)の角部のうち日除け(1)の角部になっている部分（図２の左右にある角部）の角度は、互いに等しくて９０°よりも若干小さくなされており、したがって、第４の基本要素(5)の角部のうち日除け(1)の角部になっている部分（図２の上側にある角部）の角度は、９０°よりも大きくなっている。
【００３１】
また、図３に示す稜線(R)を中央に据えたときの正面図において、日除け(1)は、第１、第２および第３の基本要素(2)(3)(4)の下面を底辺（斜辺）として第４の基本要素(4)の角部によって形成される頂角が９０°の直角二等辺三角形となっており、この方向から見た場合には、各基本要素(2)(3)(4)(5)の中三角形板部(2a)(2b)(3a)(3b)(4a)(4b)(5a)(5b)、中三角形孔(6)および各二面体(11)(12)(13)(14)も、直角二等辺三角形となっている。したがって、日除け(1)を組み立てていく際に、これらの直角二等辺三角形を基準とすることで、隣り合う日除け(1)同士の位置合わせを容易に行うことができる。各基本要素(2)(3)(4)(5)の中三角形板部(2a)(2b)(3a)(3b)(4a)(4b)(5a)(5b)、中三角形孔(6)および各二面体(11)(12)(13)(14)の輪郭形状は、図３に示す稜線(R)を中央に据えたときの正面図における形状が直角二等辺三角形となるように決定され、したがって、その輪郭形状は不等辺鈍角三角形となっている。
【００３２】
図４に示す底面図において、従来の板材から形成したフラクタル構造体では、矢印Ｐで示す第２の二面体(12)の底面側に折り曲げられた小三角形板部(12b)と第３の二面体(13)の底面側に折り曲げられた小三角形板部(13a)との突き合わせ部が自由端となるため、強度が低く、また、形状を維持することも困難であったが、この発明による日除け(1)では、第２の二面体(12)の底面側に折り曲げられた小三角形板部(12b)と第３の二面体(13)の底面側に折り曲げられた小三角形板部(13a)との突き合わせ部にも所定の肉厚が確保されて、各基本要素(2)(3)(4)(5)の第２の二面体(12)と第３の二面体(13)とが接合され、これにより、日除け(1)の各基本要素(2)(3)(4)(5)の強度が大幅に向上している。
【００３３】
また、各基本要素(2)(3)(4)(5)によって日除け(1)を形成するに際し、矢印Ｑで示す第２の基本要素(3)の底面側に折り曲げられた中三角形板部(3b)と第３の基本要素(4)の底面側に折り曲げられた中三角形板部(4a)との突き合わせ部にも所定の肉厚が確保されて、第２の基本構成要素(3)と第３の基本構成要素(4)とが接合され、これにより、日除け(1)の強度がさらに向上している。
【００３４】
すなわち、従来の板材から形成したフラクタル構造体では、要素数が増加するに連れて、接合されていない突き合わせ部の数も増加して、強度が低下していくのに対し、上記日除け(1)では、接合されていない突き合わせ部がないので、要素数が増加しても、強度の低下が防止される。
【００３５】
日除け(1)は、上記のように大きさが異なる三角形孔(6)(15)が形成されており、これにより、日除け(1)は、図１から図４までのいずれの図においても、複数カ所に隙間がある（三角形孔(6)(15)の向こう側に三角形板部(3b)(4a)(12b)(13a)で塞がれていない部分がある）形状となっている。そして、稜線(R)を正面にして日除け(1)を斜め上方から見た場合に（太陽方向から見た場合に相当）、図５に示すように、小三角形孔(15)が折り曲げられた小三角形板部(12b)(13a)によって、また、中三角形孔(6)が折り曲げられた中三角形板部(3b)(4a)によってそれぞれ塞がれるようになって、日除け(1)内にある隙間が実質的にゼロとなっており、これにより、遮光性が高められている。各三角形孔(6)(15)は、風通しをよくする効果があり、これにより、遮光性と風通しの良さとの両方が実現されている。
【００３６】
日除け(1)は、また、稜線方向から見た場合、図６に示すように、矢印Ｐで示す第２の二面体(12)の底面側に折り曲げられた小三角形板部(12b)と第３の二面体(13)の底面側に折り曲げられた小三角形板部(13a)との突き合わせ部が接合されていることにより、第１の基本要素(2)（およびこの向こう側にある第４の基本要素(5)）の第１の二面体(11)の各小三角形板部(11a)(11b)（およびこの向こう側にある第４の二面体(14)の各小三角形板部(14a)(14b)）と第１の基本要素(2)（およびこの向こう側にある第４の基本要素(5)）の第２および第３の二面体(12)(13)の底面側に折り曲げられた各小三角形板部(12b)(13a)とによって、横断面が菱形で稜線方向にのびる中空形状の筒状部（第１の筒状部）(7)が形成されている。同様に、第２および第３の基本要素(3)(4)では、第１の二面体の各小三角形板部(11a)(11b)（およびこの向こう側にある第４の二面体(14)の各小三角形板部(14a)(14b)）と第２および第３の二面体(12)(13)の底面側に折り曲げられた各小三角形板部(12b)(13a)とによって、横断面が菱形で長さが第１筒状部(7)の半分である稜線方向にのびる中空形状の２つの筒状部（第２筒状部）(8)が形成されている。
【００３７】
また、矢印Ｑで示す第２の基本要素(3)の底面側に折り曲げられた中三角形板部(3b)と第３の基本要素(4)の底面側に折り曲げられた中三角形板部(4a)との突き合わせ部が接合されていることにより、第１の基本要素(2)（およびこの向こう側にある第４の基本要素(5)）の各中三角形板部(2a)(2b)(5a)(5b)と第２および第３の基本要素(3)の底面側に折り曲げられた中三角形板部(3b)(4a)とによって、横断面が菱形で稜線方向にのびる中空形状の筒状部（第３筒状部）(9)が形成されている。これらの筒状部(7)(8)(9)の周壁は、隙間（三角形孔(6)(15)）に対応する箇所で切り取られたものとなっている。
【００３８】
図６に示した形状に着目すると、筒状部(7)(8)(9)の横断面形状に相当する横断面形状を有するスライドコア(43)(44)(45)を筒状部(7)(8)(9)の内部に稜線方向の両側（図６の紙面の表側および裏側）から挿入するとともに、図６の上下両側から１対の金型によって日除け(1)を挟むようにすることで、射出成形により日除け(1)を得ることが可能であることが分かる。
【００３９】
日除け(1)には、平面から見て四角形の角部を形成している４つの角部（第１の基本要素(2)の稜線方向の下端部、第２の基本要素(3)の右下端部、第３の基本要素(4)の後下端部および第４の基本要素(5)の稜線方向の上端部）に、それぞれ貫通孔(31)(32)(33)(34)が設けられている。これにより、隣り合う日除け(1)同士は、図８に示すように、一方の日除け(1)の貫通孔(31)(32)(33)(34)に嵌め入れられる突起(35a)(36a)(37a)と他方の日除け(1)の貫通孔(31)(32)(33)(34)に嵌め入れられる突起(35b)(36b)(37b)とを有するジョイント(35)(36)(37)によって接続可能とされている。
【００４０】
ジョイント(35)(36)(37)としては、図８に示すように、日除け(1)を、基準位置にある第１の日除け(1A)と、第１の日除け(1A)の右方に配置された第２の日除け(1B)と、第１の日除け(1A)の左方に配置された第３の日除け(1C)と、第１から第３までの日除け(1A)(1B)(1C)の上方に配置された第４の日除け(1D)と区別して、第２および第３の日除け(1B)(1C)の第１の基本要素(2)と第１の日除け(1A)の第２および第３の基本要素(3)(4)と（左右および前後に隣り合う基本要素同士）を連結するための２つの上向き突起(35a)(35b)を有する第１のジョイント(35)と、第４の日除け(1D)の第１の基本要素(2)と第１の日除け(1A)の第４の基本要素(5)と（前後および左右にずれていて上下に隣り合う基本要素同士）を連結するための１つの上向き突起(36a)および１つの下向き突起(36b)を有する第２のジョイント(36)と、第４の日除け(1D)の第２および第３の基本要素(3)(4)と第２および第３の日除け(1B)(1C)の第４の基本要素(5)と（前後または左右に並んでいて上下に隣り合う基本要素同士）を連結するための１つの上向き突起(37a)および１つの下向き突起(37b)を有する第３のジョイント(37)とが使用されている。これらのジョイント(35)(36)(37)は、合成樹脂製の射出成形品として得ることができる。
【００４１】
ジョイント(35)(36)(37)を使用して日除けを組み立てる場合、例えば、所定の位置に配置した日除け(1)の右側および後側に日除け(1)を並べてこれらを第１のジョイント(35)によって結合し、次いで、互いに結合された３つの日除け(1)の上側に新しい日除け(1)を並べて、これらを第１および第２のジョイント(35)(36)によって結合していけばよく、これにより、射出成形品の日除け(1)を４つ使用した日除け設置構造が得られる。この結合の作業を繰り返すことで、左右、前後および上下に任意の数の日除け(1)を配置することができ、極めて効率よく日除けを組み立てることができる。
【００４２】
上記日除け(1)は、世界中のどの場所にも据え付けることができ、これによって、エネルギーを使わずに都市を冷やし、ヒートアイランド解消に寄与することができる。この効果を高めるためには、日除け(1)が正しい角度で据え付けられることが必要となる。そのためには、まず、基準となる点を決めて、基準角度を設定することが必要である。
【００４３】
この発明による日除け(1)では、図９に示すように、第１基本要素(2)は（他の基本要素(3)(4)(5)も同じ）、平面から見て四角形となる二面体を最小単位とし、基準位置にある第１の二面体(11)と、第１の二面体(11)と隣接し、互いに１つの頂点ｂを共有し、一辺同士が同一直線上にある第２の二面体(12)と、第１の二面体(11)と隣接し、第１の二面体(11)の他の頂点ｃを共有するとともに、第１の二面体(11)の他の一辺と同一直線上にある第３の二面体(13)と、一辺を第２，第３の二面体(12)(13)と隣接し、互いに１つの頂点ｅ，ｆを共有し、一辺同士が同一直線上にあるとともに、第１の二面体(11)と隣接し、互いに１つの頂点ｇを共有し、対角線同士が同一直線上にある第４の二面体(14)とからなる。
【００４４】
そして、日除け(1)は、これらの４つの二面体(11)(12)(13)(14)を基本要素とし、基準位置にある第１の基本要素(2)と、第１の基本要素(2)と隣接し、互いに１つの頂点Ｂを共有し、一辺同士が同一直線上にある第２の基本要素(3)と、第１の基本要素(2)と隣接し、第１の基本要素(2)の他の頂点Ｃを共有するとともに、第１の基本要素(2)の他の一辺と同一直線上にある第３の基本要素(4)と、一辺を第２，第３の基本要素(3)(4)と隣接し、互いに１つの頂点Ｅ，Ｆを共有し、一辺同士が同一直線上にあるとともに、第１の基本要素(2)と隣接し、互いに１つの頂点Ｇを共有し、対角線同士が同一直線上にある第４の基本要素(5)とからなる。
【００４５】
すなわち、各基本要素(2)(3)(4)(5)において、隣り合う基本要素と共有する頂点と共有しない他の頂点とを有しており、これに着目し、第１の基本要素(2)と、第２、第３、第４の基本要素(3)(4)(5)とが共有する頂点をＢ，Ｃ，Ｇとし、第１の基本要素(2)の他の頂点をＡとし、２辺ＡＢ，ＡＣを底辺とする３角形ＡＢＣを略水平に設置したとき、点Ａの辺ＢＣに対する水平方向の対称点をＤとし、∠ＡＤＧのなす角度Ｆを基準角度とする。
【００４６】
点Ｄが太陽の仰角線上にあれば、最大に遮光する方向になり、もっとも効果を生むことができる。日除け(1)を世界中のあらゆる場所に設置する場合、太陽の角度がそれぞれ緯度によって異なるので、緯度をパラメータとして、角度Ｆを表すことができる。
【００４７】
具体的な数字をあげて説明する。
【００４８】
日本の場合、気温が最も高く日射がきついのは７月末から８月初旬で、時間帯は１２時から１４時である。この季節・時間帯なら、首都圏すなわち北緯３６°付近では、太陽の仰角を７２°に、北緯α°の地域では、１０８−αに設定すると最も効果が大きい。
【００４９】
北緯または南緯α°の地域において、夏季の直射日光量は夏至時点が一番多いが、地球の地表温度が高くなるのはそれから１ヵ月後から2ヶ月後の1ヶ月間である。このときの太陽の南中高度での太陽の直射日光を遮蔽すると地表の温度上昇を防止できる。北緯α°の地域では、夏至時点の太陽の南中高度は、９０―（α―２３．４）°になる。しかし、気温が最も高くなるのはその1ヶ月後から2ヵ月後の1ヶ月間であり、約１．５ヶ月後が最も高くなる。このときの太陽高度は、夏至時点の南中高度より５°低くなっており、９０−（α―２３．４）−５  ≒  １０８−α  °である。
【００５０】
正午から13時頃の方向に対して、この角度で日除けを設けると直射日光の遮蔽効果が最も高くなるので、この方向（これを第一の方向とする）の無限遠から見ると日除けが隙間なく配置されていることが必要であり、その形状は図９のＤ点からＧ点に向かう角度が太陽の直射日光の角度、すなわち１０８（または１０８．４）−αの線上にあることで達成される。
【００５１】
太陽光を遮蔽したい時期が異なる場合、すなわち、前記の夏至から１．５ヶ月後ではなく別の時期に遮蔽効果を最大にしたい場合は適宜調整する。夏至から１ヶ月後（すなわち最高気温時の半月前）にしたいなら３°増加、夏至から2ヵ月後（すなわち最高気温時の半月後）なら3°減少させる。
【００５２】
太陽光を遮蔽したい時間帯すなわち、正午から１３時ではなく、午前や午後を目的とする場合は、太陽の方向に図９のＤＧの方向を合わせ、角度は希望時間と正午との差が１時間当たり１２°増減させればよい。
【００５３】
なお、この発明では、日除け(1)が合成樹脂製の射出成形品とされて、第２の基本要素(3)と第３の基本要素(4)との突き合わせ部が接合されているが、これにより、強度向上が達成されるだけでなく、この突き合わせ部（図４に矢印Ｑで示す箇所）が上記条件における点Ｄに一致しているので、点Ｄが仮想点でなく日除け(1)内で特定できる実在点となっており、日除け(1)の角度Ｆを容易に測定することができる。
【符号の説明】
【００５４】
(1)               日除け
(2)(3)(4)(5)      基本要素
(7)               筒状部（第１筒状部）
(8)               筒状部（第２筒状部）
(9)               筒状部（第３筒状部）
(11)(12)(13)(14)  二面体
(11a)(11b)(12a)(12b)(13a)(13b)(14a)(14b)  小三角形板部
(2a)(2b)(3b)(4a)(5a)(5b)  中三角形板部
【図１】
0005216157.tif 000002
【図２】
0005216157.tif 000003
【図３】
0005216157.tif 000004
【図４】
0005216157.tif 000005
【図５】
0005216157.tif 000006
【図６】
0005216157.tif 000007
【図７】
0005216157.tif 000008
【図８】
0005216157.tif 000009
【図９】
0005216157.tif 000010